(57)【要約】【課題】順番待ちを受け付ける際に、適切な入力項目に情報を入力させることを可能とする。【解決手段】格納部１０７に含まれる設定情報格納部は、各時間帯に対応づけて設定された店舗にとって有用な情報を入力させる入力項目を示す設定情報を格納する。管理部１０４は、利用者からの順番待ちを受け付ける際に、設定情報に基づいて、当該順番待ちにおいて利用者が店舗に入店する時間帯に対応づけて設定されている入力項目を含む入力画面を生成する。表示処理部１０５は、生成された入力画面を端末装置に表示する。【選択図】図３
2019067103.tif 000002
【特許請求の範囲】
【請求項１】
利用者から店舗への順番待ちを受け付ける際に当該利用者によって操作される端末装置と接続される情報管理装置において、
各時間帯に対応づけて設定された前記店舗にとって有用な情報を入力させる入力項目を示す設定情報を格納する設定情報格納手段と、
前記利用者からの順番待ちを受け付ける際に、前記設定情報に基づいて、当該順番待ちにおいて前記利用者が前記店舗に入店する時間帯に対応づけて設定されている入力項目を含む入力画面を生成する生成手段と、
前記生成された入力画面を前記端末装置に表示する表示処理手段と
を具備する情報管理装置。
【請求項２】
前記設定情報は、各曜日及び各時間帯に対応づけて設定された前記店舗にとって有用な情報を入力させる入力項目を示し、
前記生成手段は、前記利用者からの順番待ちを受け付ける際に、当該順番待ちにおいて前記利用者が前記店舗に入店する日付に対応する曜日及び時間帯に対応づけて設定されている入力項目を含む入力画面を生成する
請求項１記載の情報管理装置。
【請求項３】
前記端末装置は、前記店舗に設けられる店舗端末及び前記利用者が所持する利用者端末を含み、
前記設定情報は、各曜日、各時間帯、及び前記店舗端末及び前記利用者端末を含む前記端末装置の種類に対応づけて設定された前記店舗にとって有用な情報を入力させる入力項目を示し、
前記生成手段は、
前記利用者からの順番待ちを前記店舗端末から受け付ける場合、当該順番待ちにおいて前記利用者が前記店舗に入店する日付に対応する曜日、時間帯及び前記端末装置の種類である店舗端末に対応づけて設定されている入力項目を含む入力画面を生成し、
前記利用者からの順番待ちを前記利用者端末から受け付ける場合、当該順番待ちにおいて前記利用者が前記店舗に入店する日付に対応する曜日、時間帯及び前記端末装置の種類である利用者端末に対応づけて設定されている入力項目を含む入力画面を生成する
請求項２記載の情報管理装置。
【請求項４】
他の利用者による順番待ちを示す複数の順番待ち情報を登録可能である順番待ち情報格納手段と、
前記順番待ち情報格納手段に登録されている順番待ち情報の数に基づいて、前記利用者からの順番待ちが受け付けられた場合における当該利用者の入店予定時刻を算出する算出手段と
を更に具備し、
前記利用者が前記店舗に入店する時間帯は、前記算出された入店予定時刻を含む時間帯である
請求項１記載の情報管理装置。
【請求項５】
前記利用者が前記店舗に入店する時間帯は、前記端末装置を操作することによって当該利用者によって指定された入店予定時刻を含む時間帯である請求項１記載の情報管理装置。
【請求項６】
利用者から店舗への順番待ちを受け付ける際に当該利用者によって操作される端末装置と接続される情報管理装置が実行する情報管理方法であって、
各時間帯に対応づけて設定された前記店舗にとって有用な情報を入力させる入力項目を示す設定情報を設定情報格納手段に格納するステップと、
前記利用者からの順番待ちを受け付ける際に、前記設定情報に基づいて、当該順番待ちにおいて前記利用者が店舗に入店する時間帯に対応づけて設定されている入力項目を含む入力画面を生成するステップと、
前記生成された入力画面を前記端末装置に表示するステップと
を具備する情報管理方法。
【請求項７】
利用者から店舗への順番待ちを受け付ける際に当該利用者によって操作される端末装置と接続される情報管理装置のコンピュータによって実行されるプログラムであって、
前記コンピュータに、
各時間帯に対応づけて設定された前記店舗にとって有用な情報を入力させる入力項目を示す設定情報を設定情報格納手段に格納するステップと、
前記利用者からの順番待ちを受け付ける際に、前記設定情報に基づいて、当該順番待ちにおいて前記利用者が前記店舗に入店する時間帯に対応づけて設定されている入力項目を含む入力画面を生成するステップと、
前記生成された入力画面を前記端末装置に表示するステップと
を実行させるためのプログラム。
【発明の詳細な説明】
【技術分野】
【０００１】
本発明は、情報管理装置、情報管理方法及びプログラムに関する。
【背景技術】
【０００２】
一般に、飲食店等の店舗を利用する利用者は、当該店舗に来店した時点で当該店舗が満席の状態にある場合、当該店舗が利用可能となるまで順番待ちをする必要がある。
【０００３】
近年では、このような順番待ちを受け付けて管理するためのシステム（以下、情報管理システムと表記）が開発されており、当該情報管理システムにおいては、順番待ちをする利用者の利便性を向上させることができる（例えば、特許文献１を参照）。
【先行技術文献】
【特許文献】
【０００４】
【特許文献１】特開２０１７−１２３０２３号公報
【発明の概要】
【発明が解決しようとする課題】
【０００５】
上記した情報管理システムにおいて利用者の順番待ちを受け付ける際には、店舗を利用する（店舗に入店する）人数等を利用者に入力させる場合が多い。
【０００６】
しかしながら、利用者が順番待ちをする店舗側としては、人数以外にも、利用者の要望等の情報について入力させたい場合がある。
【０００７】
そこで、本発明の目的は、順番待ちを受け付ける際に、適切な入力項目に情報を入力させることが可能な情報管理装置、情報管理方法及びプログラムを提供することにある。
【課題を解決するための手段】
【０００８】
本発明の１つの態様によれば、利用者から店舗への順番待ちを受け付ける際に当該利用者によって操作される端末装置と接続される情報管理装置が提供される。前記情報管理装置は、設定情報格納手段と、生成手段と、表示処理手段とを具備する。前記設定情報格納手段は、各時間帯に対応づけて設定された前記店舗にとって有用な情報を入力させる入力項目を示す設定情報を格納する。前記生成手段は、前記利用者からの順番待ちを受け付ける際に、前記設定情報に基づいて、当該順番待ちにおいて前記利用者が前記店舗に入店する時間帯に対応づけて設定されている入力項目を含む入力画面を生成する。前記表示処理手段は、前記生成された入力画面を前記端末装置に表示する。
【発明の効果】
【０００９】
本発明は、順番待ちを受け付ける際に、適切な入力項目に有用な情報を入力させることを可能とする。
【図面の簡単な説明】
【００１０】
【図１】本発明の実施形態に係る情報管理装置を備える情報管理システムの構成の一例を示す図。
【図２】情報管理装置のハードウェア構成の一例を示す図。
【図３】情報処理装置の主として機能構成の一例を示すブロック図。
【図４】第１店舗端末からの順番待ちを示す順番待ち情報を登録する際の情報管理システムの処理手順の一例を示すシーケンスチャート。
【図５】利用者端末からの順番待ちを示す順番待ち情報を登録する際の情報管理システムの処理手順の一例を示すシーケンスチャート。
【図６】順番待ち情報格納部に登録された順番待ち情報のデータ構造の一例を示す図。
【図７】第２店舗端末に順番待ち情報を表示する際の情報管理システムの処理手順の一例を示すシーケンスチャート。
【図８】スタッフ画面生成処理の処理手順の一例を示すフローチャート。
【図９】第２店舗端末に表示されるスタッフ画面の一例を示す図。
【図１０】更新されたスタッフ画面の一例を示す図。
【図１１】第１設定画面の一例を示す図。
【図１２】第２設定画面の一例を示す図。
【図１３】第１入力画面生成処理の処理手順の一例を示すフローチャート。
【図１４】第２入力画面生成処理の処理手順の一例を示すフローチャート。
【図１５】端末装置の種類に応じて異なる入力項目が設定される場合について説明するための図。
【発明を実施するための形態】
【００１１】
以下、図面を参照して、本発明の実施形態について説明する。
【００１２】
図１は、本実施形態に係る情報管理装置を備える情報管理システム（ネットワークシステム）の構成を示す。情報管理システムは、各種店舗（施設）における利用者の順番待ちを管理するためのシステムである。なお、本実施形態において、店舗には、例えば飲食店、薬局、病院、美容院、旅行代理店、スマートフォンまたは携帯電話の購入及び契約が可能なショップ、及びアミューズメント施設等が含まれる。すなわち、本実施形態における店舗は、当該店舗を利用者が利用するために順番待ちが可能な店舗であればよい。
【００１３】
図１に示すように、情報管理システムは、情報管理装置１０、第１店舗端末２０、第２店舗端末３０及び利用者端末４０を備える。なお、情報管理装置１０は、第１店舗端末２０、第２店舗端末３０及び利用者端末４０とそれぞれインターネットのようなネットワーク５０を介して通信可能に接続されている。
【００１４】
情報管理装置１０は、店舗における利用者による順番待ちを管理するための機能を有するサーバ装置である。なお、情報管理装置１０の機能構成については後述する。
【００１５】
第１店舗端末２０及び第２店舗端末３０は、順番待ちが可能な店舗に設けられている端末装置である。
【００１６】
第１店舗端末２０は、例えば店舗の入り口（つまり、店頭）付近に設置され、主に店舗に来店する利用者（客）によって使用される。利用者は、例えば店舗に来店した時点で店舗が満席の状態にある場合、第１店舗端末２０を操作することによって当該店舗において順番待ちをすることができる。
【００１７】
第２店舗端末３０は、例えば店舗のレジ付近に設置され、主に店舗のスタッフ（従業員等）によって使用される。店舗のスタッフは、第２店舗端末３０において順番待ちの状況等を確認することができる。
【００１８】
本実施形態においては、第１店舗端末２０及び第２店舗端末３０が異なる端末であるものとして説明するが、当該第１店舗端末２０及び第２店舗端末３０は一体として構成されていてもよい。
【００１９】
利用者端末４０は、例えば店舗を利用する利用者が所持する端末装置である。利用者端末４０には、例えばスマートフォン、タブレット端末、フィーチャーフォン及びパーソナルコンピュータ（ＰＣ）等が含まれる。利用者端末４０は、例えば店舗以外の場所から店舗に対する順番待ち（つまり、利用者端末４０からの順番待ち）をするために用いられる。
【００２０】
なお、図１においては便宜的に第１店舗端末２０、第２店舗端末３０及び利用者端末４０がそれぞれ１つずつ示されているが、情報管理装置１０には、複数の第１店舗端末２０及び第２店舗端末３０が接続されていてもよいし、複数の利用者端末４０が接続されていてもよい。具体的には、情報管理装置１０には、例えば情報管理システムを導入している店舗と少なくとも同数の第１店舗端末２０及び第２店舗端末３０が接続される。また、情報管理装置１０には、情報管理システムに予め登録している利用者と少なくとも同数の利用者端末４０が接続される。
【００２１】
図２は、図１に示す情報管理装置１０のハードウェア構成の一例を示す。図２に示すように、情報管理装置１０においては、バス１１に、不揮発性メモリ１２、ＣＰＵ１３、メインメモリ１４及び通信部１５等が接続されている。なお、不揮発性メモリ１２及びメインメモリ１４は、情報管理装置１０の記憶装置を構成する。
【００２２】
不揮発性メモリ１２は、例えばオペレーティングシステム（ＯＳ）及び上記した店舗における順番待ちを管理するためのプログラム（以下、順番管理プログラムと表記）を含む各種プログラムを格納する。
【００２３】
ＣＰＵ１３は、例えば不揮発性メモリ１２に格納されている各種プログラムを実行するプロセッサである。なお、ＣＰＵ１３は、情報管理装置１０全体の制御を実行する。
【００２４】
メインメモリ１４は、例えばＣＰＵ１３が各種プログラムを実行する際に必要とされるワークエリア等として使用される。
【００２５】
図２においては不揮発性メモリ１２及びメインメモリ１４のみが示されているが、情報管理装置１０は、ＨＤＤ（Hard Disk Drive）及びＳＳＤ（Solid State Drive）等の他の記憶装置を備えていてもよい。
【００２６】
通信部１５は、インターネット等のネットワークを介して例えば第１店舗端末２０、第２店舗端末３０及び利用者端末４０等の外部装置と実行される通信を制御する機能を有する。なお、通信部１５によれば、例えば無線ＬＡＮ及びＷｉｆｉ（登録商標）等の無線通信機能を実現することができる。
【００２７】
図３は、本実施形態に係る情報管理装置１０の主として機能構成の一例を示すブロック図である。図３に示すように、情報管理装置１０は、受付部１０１、第１登録部１０２、第２登録部１０３、管理部１０４、表示処理部１０５、設定部１０６及び格納部１０７等を含む。
【００２８】
本実施形態において、各部１０１〜１０６は、例えば図２に示すＣＰＵ１３（つまり、情報管理装置１０のコンピュータ）が不揮発性メモリ１２に格納されている順番管理プログラムを実行すること（つまり、ソフトウェア）により実現されるものとする。なお、この順番管理プログラムは、コンピュータ読み取り可能な記憶媒体に予め格納して頒布可能である。また、この順番管理プログラムは、例えばネットワークを介して情報管理装置１０にダウンロードされても構わない。
【００２９】
ここでは、各部１０１〜１０６がソフトウェアにより実現されるものとして説明したが、当該各部１０１〜１０６は、ハードウェアにより実現されてよいし、ソフトウェア及びハードウェアの組み合わせによって実現されてもよい。
【００３０】
また、本実施形態において、格納部１０７は、例えば図２に示す不揮発性メモリまたは他の記憶装置等に格納される。なお、格納部１０７は、後述する順番待ち情報が登録（格納）される順番待ち情報格納部と、各種設定情報が登録（格納）される設定情報格納部とを含む。
【００３１】
受付部１０１は、第１店舗端末２０に対する複数の利用者の各々の操作に基づいて、当該第１店舗端末２０から店舗に対する順番待ちを受け付ける。また、受付部１０１は、利用者端末４０に対する利用者の操作に基づいて、当該利用者端末４０から店舗に対する順番待ちを受け付ける。なお、受付部１０１は、第２店舗端末３０から店舗に対する順番待ちを受け付けることも可能である。
【００３２】
第１登録部１０２は、受付部１０１によって第１店舗端末２０からの順番待ちが受け付けられた場合、当該順番待ちを示す順番待ち情報を上記した順番待ち情報格納部に登録（格納）する。なお、上記したように第２店舗端末３０からの順番待ちが受け付けられた場合には、第１登録部１０２は、当該順番待ちを示す順番待ち情報を順番待ち情報格納部に登録する。
【００３３】
第２登録部１０３は、受付部１０１によって利用者端末４０からの順番待ちが受け付けられた場合、当該順番待ちを示す順番待ち情報を順番待ち情報格納部に登録（格納）する。
【００３４】
なお、上記した順番待ち情報は、当該順番待ち情報によって示される順番待ちが受け付けられた順に順番待ち情報格納部に格納される。
【００３５】
管理部１０４は、上記した利用者から店舗への順番待ちを受け付ける際に、当該店舗にとって有用な情報（以下、有用情報と表記）を利用者に入力させる入力項目を含む画面（以下、入力画面と表記）を生成する。また、管理部１０４は、例えば第２店舗端末３０からの要求に応じて、順番待ち情報格納部に格納された順番待ち情報を当該第２店舗端末３０に表示するための画面（以下、スタッフ画面と表記）を生成する。
【００３６】
表示処理部１０５は、管理部１０４によって生成された入力画面（データ）を利用者によって操作される第１店舗端末３０または利用者端末４０に送信し、当該入力画面を当該第１店舗端末３０または利用者端末４０に表示させる。また、表示処理部１０５は、管理部１０４によって生成されたスタッフ画面（データ）を第２店舗端末３０に送信し、当該スタッフ画面を第２店舗端末３０に表示させる。
【００３７】
設定部１０６は、情報管理システム（情報管理装置１０）における各種設定を行う。設定部１０６によって設定された内容（を示す設定情報）は、上記した設定情報格納部に登録（格納）される。なお、設定情報格納部に格納される設定情報については後述する。
【００３８】
以下、本実施形態に係る情報管理装置１０の動作について説明する。まず、図４のシーケンスチャートを参照して、第１店舗端末２０からの順番待ちを示す順番待ち情報を登録する際の情報管理システムの処理手順について説明する。ここでは、第１店舗端末２０から順番待ちをする利用者を対象利用者と称する。
【００３９】
まず、対象利用者が第１店舗端末２０（及び第２店舗端末３０）が設けられている店舗に来店した場合を想定する。この場合、第１店舗端末２０には、対象利用者の店舗に対する順番待ちを受け付けるための受付画面が表示されている（ステップＳ１）。受付画面においては、例えば後述する第２店舗端末３０に表示されるスタッフ画面と同様に、順番待ちの状況（順番待ち情報の一覧）が表示されていてもよい。
【００４０】
なお、この受付画面は、例えば第１店舗端末２０上で動作するブラウザを介して表示されている。なお、第１店舗端末２０に表示される受付画面以外の画面についても同様である。
【００４１】
例えば対象利用者が店舗に来店した時点で店舗が満席の状態にある場合、対象利用者は、第１店舗端末２０に表示されている受付画面に対する操作を行う。第１店舗端末２０は例えばタッチパネルを備えており、受付画面に対する操作は、例えば当該タッチパネルをタッチする操作等を含む。なお、例えば店舗の利用者の数等を把握するために、満席の状態でない場合であっても受付画面に対する操作を利用者に行わせるようにしてもよい。
【００４２】
受付画面に対する操作が行われた場合、第１店舗端末２０は、第１店舗端末２０からの順番待ちの受付要求を情報管理装置１０に送信する（ステップＳ２）。
【００４３】
情報管理装置１０に含まれる管理部１０４は、利用者端末４０によって送信された受付要求を受信する。管理部１０４は、受信された受付要求に応じて、第１入力画面生成処理を実行する（ステップＳ３）。この第１入力画面生成処理は、第１店舗端末２０からの順番待ちを受け付ける際に第１店舗端末２０に表示させる入力画面を生成する処理である。第１入力画面生成処理の詳細については後述する。
【００４４】
ステップＳ３の処理が実行されると、表示処理部１０５は、当該ステップＳ３において生成された入力画面を第１店舗端末２０に表示するための画面データを第１店舗端末２０に送信する（ステップＳ４）。この場合、第１店舗端末２０には、入力画面が表示される。
【００４５】
ここで、第１店舗端末２０に表示された入力画面には、例えば複数の入力項目（入力カテゴリ）が含まれている。複数の入力項目には、例えば店舗に入店する人数等が含まれる。対象利用者は、第１店舗端末２０に表示された入力画面に含まれる入力項目の各々に対して上記した有用情報を入力することができる。
【００４６】
入力画面に対して対象利用者が有用情報を入力した場合、第１店舗端末２０は、当該有用情報を取得する（ステップＳ５）。
【００４７】
第１店舗端末２０は、ステップＳ５において取得された有用情報を情報管理装置１０に送信する（ステップＳ６）。
【００４８】
情報管理装置１０に含まれる受付部１０１は、第１店舗端末２０によって送信された有用情報を受信する。これにより、受付部１０１は、第１店舗端末２０からの順番待ちを受け付ける。
【００４９】
次に、第１登録部１０２は、受付部１０１によって受け付けられた順番待ちを登録するために、当該順番待ちを示す順番待ち情報を生成する（ステップＳ７）。
【００５０】
ここで、ステップＳ７の処理について説明する。まず、受付部１０１によって順番待ちが受け付けられた場合、第１登録部１０２は、当該順番待ちに対して受付番号を発行する。この受付番号は、例えば店舗の営業開始から順番待ちが受け付けられる度に連番で発行される。なお、受付番号は、例えば営業日が変わればリセットされるものとする。
【００５１】
また、第１登録部１０２は、例えば現在時刻を登録時刻として取得する。登録時刻は、順番待ち情報が登録された（順番待ちが受け付けられた）時刻として用いられる。なお、この登録時刻（現在時刻）は、例えば情報管理装置１０内のクロック等から取得される。
【００５２】
また、第１登録部１０２は、順番待ちの経路の情報を取得する。ここでは、受付要求が第１店舗端末２０から受信されているため、第１登録部１０２は、経路の情報として、第１店舗端末２０からの順番待ちであることを示す「店舗」を取得する。
【００５３】
これにより、第１登録部１０２は、上記した有用情報に加えて、受付番号、登録時刻及び経路を含む順番待ち情報を生成する。
【００５４】
上記したようにステップＳ７において生成された順番待ち情報は、第１登録部１０２によって格納部１０７に登録される（ステップＳ８）。
【００５５】
ステップＳ８において順番待ち情報が登録されると、当該登録が完了した旨の通知（以下、登録完了通知と表記）が情報管理装置１０から第１店舗端末２０に送信される（ステップＳ９）。なお、登録完了通知には、登録された順番待ち情報に含まれる受付番号等が含まれる。
【００５６】
ここで、第１店舗端末２０には、印刷装置が内蔵されているものとする。これにより、第１店舗端末２０においては、情報管理装置１０から送信された登録完了通知（に含まれる受付番号）が受信され、印刷装置によって当該受付番号が印刷された順番待ちカードが発券される（ステップＳ７）。なお、登録完了通知には、受付番号の他に、登録時刻等の情報が含まれていてもよい。
【００５７】
対象利用者は、発券された順番待ちカードに印刷されている受付番号に基づいて店舗のスタッフに呼び出されることによって、当該店舗に入店することができる。
【００５８】
次に、図５のシーケンスチャートを参照して、利用者端末４０からの順番待ちを示す順番待ち情報を登録する際の情報管理システムの処理手順について説明する。ここでは、利用者端末４０から順番待ちをする利用者を対象利用者と称する。
【００５９】
ここで、上記したように店舗に来店した利用者は第１店舗端末２０を操作することによって店舗に対する順番待ちをすることができるが、店舗に来店していない利用者は、利用者端末４０から順番待ちをすることができる。
【００６０】
まず、対象利用者が利用者端末４０から順番待ちをする場合、当該対象利用者は、所定のＷｅｂページ（サイト）において当該対象利用者に割り当てられているログインＩＤ及びパスワード（以下、対象利用者のログインＩＤ及びパスワードと表記）を入力することによって、情報管理システム（情報管理装置１０）にログインする（ステップＳ１１）。
【００６１】
なお、対象利用者のログインＩＤ及びパスワードは、対象利用者が例えば会員登録等を行う際に設定される。対象利用者のログインＩＤ及びパスワードは、情報管理装置１０において管理されているものとする。これにより、図５においては示されていないが、利用者端末４０において入力されたログインＩＤ及びパスワードは当該利用者端末４０から情報管理装置１０に送信され、当該ログインＩＤ及びパスワードが情報管理装置１０で管理されている対象利用者のログインＩＤ及びパスワードと一致する場合に、対象利用者は、情報管理システムにログインすることができる。
【００６２】
ステップＳ１１において情報管理システムにログインした場合、対象利用者は、利用者端末４０を操作することによって順番待ちを指示することができる。
【００６３】
順番待ちをすることが指示された場合、利用者端末４０は、当該順番待ちの受付要求を情報管理装置１０に送信する（ステップＳ１２）。
【００６４】
ここで、本実施形態において利用者端末４０から順番待ちをする場合、対象利用者は、店舗への入店予定時刻を指定することができるものとする。このように入店予定時刻が指定された順番待ちの場合には、対象利用者が当該入店予定時刻に店舗に入店することが可能なように順番待ちが管理（調整）される。
【００６５】
上記したように受付要求が利用者端末４０から送信された場合、情報管理装置１０は、格納部１０７に格納されている順番待ち情報に基づいて、他の入店予定時刻を指定する順番待ちが登録されていない時間帯（の情報）を、利用者端末４０に送信する（ステップＳ１３）。
【００６６】
この場合、利用者端末４０には、入店予定時刻を指定することが可能な画面が表示される。対象利用者は、利用者端末４０を操作することによって、この画面において入店予定時刻（他の順番待ちにおける入店予定時刻と重複しない時刻）を指定する。
【００６７】
対象利用者によって入店予定時刻が指定された場合、利用者端末４０は、当該入店予定時刻を取得する（ステップＳ１４）。
【００６８】
利用者端末４０は、ステップＳ１４において取得された入店予定時刻を情報管理装置１０に送信する（ステップＳ１５）。
【００６９】
情報管理装置１０に含まれる管理部１０４は、利用者端末４０によって送信された入店予定時刻を受信する。
【００７０】
次に、管理部１０４は、第２入力画面生成処理を実行する（ステップＳ１６）。この第２入力画面生成処理は、利用者端末４０からの順番待ちを受け付ける際に利用者端末４０に表示させる入力画面を生成する処理である。第２入力画面生成処理の詳細については後述する。
【００７１】
ステップＳ１６の処理が実行されると、表示処理部１０５は、当該ステップＳ１６において生成された入力画面を利用者端末４０に表示するための画面データを利用者端末４０に送信する（ステップＳ１７）。この場合、利用者端末４０には、入力画面が表示される。
【００７２】
ここで、利用者端末４０に表示された入力画面には、例えば複数の入力項目（入力カテゴリ）が含まれている。複数の入力項目には、例えば店舗に入店する人数等が含まれる。対象利用者は、利用者端末４０に表示された入力画面に含まれる入力項目の各々に対して有用情報を入力することができる。
【００７３】
入力画面に対して対象利用者が有用情報を入力した場合、利用者端末４０は、当該有用情報を取得する（ステップＳ１８）。
【００７４】
利用者端末４０は、ステップＳ１８において取得された有用情報を情報管理装置１０に送信する（ステップＳ１９）。
【００７５】
情報管理装置１０に含まれる受付部１０１は、利用者端末４０によって送信された有用情報を受信する。これにより、受付部１０１は、利用者端末４０からの順番待ちを受け付ける。
【００７６】
次に、第２登録部１０３は、受付部１０１によって受け付けられた順番待ちを登録するために、当該順番待ちを示す順番待ち情報を生成する（ステップＳ２０）。
【００７７】
ここで、ステップＳ２０の処理について説明する。以下の説明では、上記した第１店舗端末２０からの順番待ちを示す順番待ち情報（つまり、図４に示すステップＳ７において生成される順番待ち情報）を店舗順番待ち情報、利用者端末４０からの順番待ちを示す順番待ち情報（つまり、ステップＳ２０において生成される順番待ち情報）をＷｅｂ順番待ち情報とする。
【００７８】
上記したように店舗順番待ち情報によれば、対象利用者は店舗に入店する際に受付番号で呼び出される。このため、店舗順番待ち情報が生成（登録）される場合には、受付番号が発行される。
【００７９】
これに対して、Ｗｅｂ順番待ち情報では入店予定時刻に対象利用者が店舗に入店することが可能となるように順番待ちが管理（調整）されるが、当該対象利用者は、受付番号で呼び出されてもよいし、当該対象利用者の氏名で呼び出されてもよい。このため、対象利用者が受付番号で呼び出される場合には受付番号が発行されるが、当該対象利用者が氏名で呼び出される場合には受付番号は発行されなくてもよい。以下、本実施形態においては対象利用者は氏名で呼び出されるものとして説明する。
【００８０】
なお、第２登録部１０３は、例えば現在時刻を登録時刻として取得する。また、第２登録部１０３は、上記した順番待ちの経路の情報を取得する。ここでは、受付要求が利用者端末４０から受信されているため、第２登録部１０３は、経路の情報として、利用者端末４０からの順番待ちであることを示す「Ｗｅｂ」を取得する。
【００８１】
ここで、対象利用者は、利用者端末４０として、スマートフォン、タブレット端末、フィーチャーフォン及びＰＣ等を使用することができる。このため、受付要求が利用者端末４０から受信されている場合、経路の情報は、当該利用者端末４０（デバイス）の種別（スマートフォン、タブレット端末、フィーチャーフォン及びＰＣ等）であってもよい。なお、デバイスの種別は例えば利用者端末４０側で取得され、上記した受付要求等とともに情報管理装置１０に送信されることによって、情報管理装置１０において取得することができる。
【００８２】
また、上記したように利用者端末４０からの順番待ちにおいて対象利用者を氏名で呼び出す場合、第２登録部１０３は、当該対象利用者の氏名（会員名）を取得する。なお、対象利用者の氏名は、上記した会員登録の際に情報管理装置１０内に格納（登録）されているものとする。また、対象者の氏名は、対象利用者のログインＩＤ及びパスワードに対応づけられており、ステップＳ１１の処理が実行される際に判別（取得）することができるものとする。
【００８３】
これにより、第２登録部１０３は、上記した入店予定時刻及び有用情報に加えて、登録時刻、経路及び氏名を含む順番待ち情報を生成する。
【００８４】
上記したようにステップＳ２０において生成された順番待ち情報は、第２登録部１０３によって順番待ち情報格納部に登録される（ステップＳ２１）。
【００８５】
ステップＳ２１において順番待ち情報が登録されると、当該登録が完了した旨の通知（登録完了通知）が情報管理装置１０から利用者端末４０に送信される（ステップＳ２２）。なお、この登録完了通知は、登録された順番待ち情報に含まれる入店予定時刻（対象利用者によって指定された入店予定時刻）を含み、例えば会員登録時に登録されている対象利用者のメールアドレスを用いてメールで送信される。
【００８６】
この場合、利用者端末４０は、情報管理装置１０から送信された登録完了通知（メール）を受信し、当該登録完了通知に含まれる入店予定時刻を表示することができる（ステップＳ２３）。登録完了通知は、利用者端末４０（例えば、スマートフォン等）上で動作するアプリケーションにおけるＰｕｓｈ通知により利用者端末４０に表示（通知）されても構わない。
【００８７】
利用者端末４０からの順番待ちの場合、対象利用者は、ステップＳ２３において表示された入店予定時刻に店舗に来店し、例えば順番待ち情報に含まれる氏名（会員名）で店舗のスタッフに呼び出されることによって、当該店舗に入店することができる。
【００８８】
ここでは、利用者端末４０からの順番待ち（Ｗｅｂ順番待ち情報）の場合には氏名で呼び出されるものとして説明したが、例えばステップＳ２０において上記した図４の処理で発行される受付番号とは異なる番号等を対象利用者に割り当てることによって、当該番号を対象利用者の氏名の代わりに使用してもよい。この場合、ステップＳ２２において送信される登録完了通知には対象利用者に割り当てられた番号が含まれており、対象利用者は、当該番号を利用者端末４０に表示して確認することができる。これによれば、対象利用者に割り当てられた番号で当該対象利用者を呼び出すことができる。
【００８９】
ここで、図６は、上記した図４及び図５に示す処理が実行されることによって順番待ち情報格納部に登録された順番待ち情報のデータ構造の一例を示す。
【００９０】
図６に示す例では、順番待ち情報格納部には、順番待ち情報１０７ａ〜１０７ｆが格納（登録）されている。図６に示すように、順番待ち情報には、受付番号、人数、入店予定時刻、登録時刻、経路及び氏名等（の情報）が含まれる。なお、受付番号、人数、入店予定時刻、登録時刻、経路及び氏名については、上記した通りであるため、ここではその詳しい説明を省略する。
【００９１】
なお、順番待ち情報１０７ａ〜１０７ｆは、情報管理装置１０（受付部１０１）によって順番待ちが受け付けられた順（つまり、登録時刻順）に格納されている。
【００９２】
順番待ち情報１０７ａ〜１０７ｆのうち、経路「店舗」を含む順番待ち情報１０７ａ、１０７ｂ及び１０７ｄ〜１０７ｆは、第１店舗端末２０からの順番待ちを示す順番待ち情報（店舗順番待ち情報）である。店舗順番待ち情報には、上記したように受付番号、人数、登録時刻及び経路が含まれている。
【００９３】
また、順番待ち情報１０７ａ〜１０７ｆのうち、経路「Ｗｅｂ」を含む順番待ち情報１０７ｃは、利用者端末４０からの順番待ちを示す順番待ち情報（Ｗｅｂ順番待ち情報）である。Ｗｅｂ順番待ち情報には、上記したように人数、入店予定時刻、登録時刻、経路及び氏名が含まれている。
【００９４】
なお、図６に示す例では、上記した有用情報として人数のみが示されているが、順番待ち情報には、他の有用情報についても同様に含まれている。
【００９５】
ここで、本実施形態においては第２店舗端末３０に順番待ちの状況（つまり、順番待ち情報）を表示することが可能であるが、図６に示す順番待ち情報１０７ａ〜１０７ｆをそのまま表示した場合には、店舗のスタッフは、入店予定時刻が指定されているＷｅｂ順番待ち情報（順番待ち情報１０７ｃ）によって示される順番待ちをしている利用者をどのタイミングで入店させるのかを容易に把握することができない。
【００９６】
ここで、図７のシーケンスチャートを参照して、第２店舗端末３０に順番待ち情報を表示する際の情報管理システムの処理手順について説明する。
【００９７】
第２店舗端末３０に順番待ち情報を表示する場合、当該第２店舗端末３０から情報管理装置１０に上記したスタッフ画面の表示（または更新）を要求する（ステップＳ３１）。このステップＳ３１の処理は、例えば店舗のスタッフによる第２店舗端末３０に対する操作が行われた場合、または予め定められた期間、第２店舗端末３０に対する操作が行われなかった場合に実行される。
【００９８】
管理部１０４は、第２店舗端末３０からの要求に応じて、順番待ち情報格納部に格納（登録）されている順番待ち情報を取得する（ステップＳ３２）。
【００９９】
次に、管理部１０４は、ステップＳ３２において取得された順番待ち情報を表示するためのスタッフ画面を生成する処理（以下、スタッフ画面生成処理と表記）を実行する（ステップＳ３３）。
【０１００】
なお、ステップＳ３３において生成されるスタッフ画面において、Ｗｅｂ順番待ち情報は、順番待ちが受け付けられた順に登録されている順番待ち情報（店舗順番待ち情報）の間に挿入されるように並べ替えて表示される。スタッフ画面生成処理の詳細については後述する。
【０１０１】
表示処理部１０５は、ステップＳ３３において生成されたスタッフ画面を表示するための画面データを第２店舗端末３０に送信する（ステップＳ３４）。
【０１０２】
第２店舗端末３０は、表示処理部１０５によって送信された画面データを受信する。これにより、第２店舗端末３０においては、スタッフ画面が表示される（ステップＳ３５）。なお、このスタッフ画面は、例えば第２店舗端末３０上で動作するブラウザを介して表示される。
【０１０３】
次に、図８のフローチャートを参照して、上記したスタッフ画面生成処理（図７に示すステップＳ３３の処理）の処理手順について説明する。
【０１０４】
まず、管理部１０４は、現在時刻を取得する（ステップＳ４１）。この現在時刻は、例えば情報管理装置１０に内蔵されているクロック等から取得することが可能である。
【０１０５】
次に、図７に示すステップＳ３２において取得された順番待ち情報のうちの店舗順番待ち情報の各々についてステップＳ４２〜Ｓ４４の処理が実行される。以下、この処理の対象となる順番待ち情報を対象順番待ち情報と称する。また、対象順番待ち情報によって示される順番待ちをしている（登録している）利用者を対象利用者と称する。
【０１０６】
この場合、管理部１０４は、ステップＳ３２において取得された順番待ち情報のうちの対象順番待ち情報よりも登録時刻が早い順番待ち情報（店舗順番待ち情報）の数、つまり、対象利用者の前に順番待ちをしている利用者の組の数に当該対象利用者（の組）を加えた待ち組数をカウントする（ステップＳ４２）。なお、ここで待ち組数としてカウントされる利用者（の組）は、まだ店舗に案内されていない利用者であるものとする。利用者が店舗に案内された場合の処理については後述する。
【０１０７】
ここで、本実施形態においては、順番待ちをしている１組の利用者が入店することができるまでの時間（以下、単位待ち時間と表記）が予め設定されている。この場合、管理部１０４は、この予め設定されている単位待ち時間にステップＳ４２においてカウントされた待ち組数を乗算することによって、対象利用者が店舗に入店する（つまり、店舗を利用する）ことができるまでの時間（以下、待ち時間と表記）を算出する（ステップＳ４３）。
【０１０８】
ここで、待ち時間とは、店舗に来店した利用者が店舗に入店する（つまり、顧客がサービスの提供を受けられる）予定時間までの目安となる時間である。例えば、待ち時間は、「１２０分」といった形で利用者に向けて提示される。本実施形態において算出される待ち時間は、必ずしも店舗に入店する（サービス提供）までの残り時間の形でユーザに提示される必要はなく、例えば受付時間等に待ち時間を足し合わせた時間、すなわち、店舗に入店することができるまでの予定時間の形等で提示されても構わない。また、順番待ちを行う必要がない場合、すなわち、待ち時間が「０分」の場合も、本実施形態においては「０分」の待ち時間があるとして扱われるものとする。
【０１０９】
なお、単位待ち時間は、情報管理装置１０（情報管理システム）側で店舗毎に設定されていればよい。単位待ち時間は、例えば店舗の業種及び業態に応じた利用客数及び回転率等に従って設定される。しかしながら、店舗の状況等によっては単位待ち時間を店舗側で修正したい場合がある。この場合、単位待ち時間は店舗のスタッフによる第２店舗端末３０に対する操作に応じて、上記した設定部１０７によって一時的に補正することができるような構成であってもよい。
【０１１０】
ここでは単位待ち時間が情報管理装置１０側で設定されるものとして説明したが、単位待ち時間は、情報管理装置１０側では設定されず、各店舗に設けられている第２店舗端末３０において設定される構成であってもよい。
【０１１１】
次に、管理部１０４は、ステップＳ４１において取得された現在時刻にステップＳ４３において算出された待ち時間を加算することによって入店予定時刻を算出する（ステップＳ４４）。
【０１１２】
ここで、上記したステップＳ４２〜Ｓ４４の処理がステップＳ３２において取得された順番待ち情報のうちの全ての店舗順番待ち情報について実行されたか否かが判定される（ステップＳ４５）。
【０１１３】
全ての店舗順番待ち情報について処理が実行されていないと判定された場合（ステップＳ４５のＮＯ）、ステップＳ４２に戻って処理が繰り返される。この場合、処理が実行されていない店舗順番待ち情報を対象順番待ち情報としてステップＳ４２〜Ｓ４４の処理が実行される。
【０１１４】
一方、全ての店舗順番待ち情報について処理が実行されたと判定された場合（ステップＳ４５のＹＥＳ）、管理部１０４は、全ての店舗順番待ち情報についてステップＳ４４において算出された入店予定時刻（待ち時刻）とＷｅｂ順番待ち情報に含まれる入店予定時刻とに基づいて、ステップＳ３２において取得された順番待ち情報を並び替える（ステップＳ４６）。この場合、管理部１０４は、ステップＳ３２において取得された順番待ち情報を、入店予定時刻が早い順に並べ替える。
【０１１５】
ここで、ステップＳ４６において順番待ち情報が並び替えられた場合、上記したＷｅｂ順番待ち情報が店舗順番待ち情報の前（間）に挿入されることによって、当該店舗順番待ち情報の順番が変更される場合がある。上記した店舗順番待ち情報についての待ち時間は単に店舗順番待ち情報の登録時刻順に基づいて算出されたものであり、ステップＳ４６の処理によって店舗順番待ち情報の順番が変更されている場合には、当該待ち時間を変更（更新）する必要がある。
【０１１６】
そこで、ステップＳ４６の処理によって店舗順番待ち情報の順番が変更されているか否かが判定される（ステップＳ４７）。
【０１１７】
順番が変更されていると判定された場合（ステップＳ４７のＹＥＳ）、管理部１０４は、順番が変更された順番待ち情報（店舗順番待ち情報）の待ち時間（及び入店予定時刻）を、ステップＳ４６において並び替えられた順番待ち情報の順番に基づいて更新する（ステップＳ４８）。この場合における待ち時間の算出処理においては、ステップＳ４２及びＳ４３と同様の処理が実行されるため、その詳しい説明を省略する。なお、この場合において待ち組数としてカウントされる順番待ち情報（利用者の組）には、Ｗｅｂ順番待ち情報も含まれる。
【０１１８】
ステップＳ４８の処理が実行されると、管理部１０４は、ステップＳ４６において並び替えられた順番待ち情報及びステップＳ４８において更新された待ち時間を表示するためのスタッフ画面（の画面データ）を生成する（ステップＳ４９）。
【０１１９】
なお、順番が変更されていない（つまり、同一である）と判定された場合（ステップＳ４７のＮＯ）、ステップＳ４８の処理は実行されず、ステップＳ４９の処理が実行される。
【０１２０】
本実施形態においては、後述するようにスタッフ画面に待ち時間が表示されるものとして説明するが、当該スタッフ画面に待ち時間が表示されないのであれば、ステップＳ４７及びＳ４８の処理は省略されても構わない。
【０１２１】
なお、本実施形態においては図８に示すスタッフ画面生成処理において待ち時間及び入店予定時刻を算出するものとして説明したが、当該待ち時間及び入店予定時刻は、例えば図４において説明した店舗順番待ち情報の登録時に算出され、当該店舗順番待ち情報に含まれるようにしてもよい。
【０１２２】
しかしながら、上記した待ち時間は例えば順番待ちをする利用者の目安となる時間であり、入店予定時刻についても確実に利用者が入店することが可能な時刻を示すものではない。すなわち、待ち時刻及び入店予定時刻は、店舗内の利用客の利用状況等によって大きく変動する可能性がある。よって、本実施形態のように例えばスタッフ画面が生成される際に待ち時間及び入店予定時刻を算出することが好ましい。
【０１２３】
ここで、図９は、第２店舗端末３０に表示されるスタッフ画面の一例を示す。なお、図９においては、図６に示す順番待ち情報格納部に格納されている順番待ち情報１０７ａ〜１０７ｆが表示されたスタッフ画面２００を示している。
【０１２４】
図９に示すスタッフ画面２００においては、順番待ち情報１０７ａ〜１０７ｆが入店予定時刻が早い順に上から表示されている。なお、順番待ち情報１０７ｃの入店予定時刻は、上記したように順番待ち情報１０７ｃの登録の際に利用者によって指定された時刻である。一方、順番待ち情報１０７ｃ以外の順番待ち情報の入店予定時刻は、上記したスタッフ画面生成処理において算出された時刻である。
【０１２５】
図９に示すスタッフ画面２００の例によれば、店舗のスタッフは、順番待ち情報１０７ａ、１０７ｂ、１０７ｄ、１０７ｃ、１０７ｅ及び１０７ｆの順に利用者を呼び出して、店舗に入店させることになる。
【０１２６】
ここで、スタッフ画面２００に表示されている順番待ち情報の並びは、図６に示す順番待ち情報格納部に登録されている順番待ち情報の並びと異なっている。これは、順番待ち情報１０７ｃ（Ｗｅｂ順番待ち情報）の入店予定時刻が順番待ち情報１０７ｄについて算出された入店予定時刻と順番待ち情報１０７ｅについて算出された入店予定時刻との間に該当し、当該順番待ち情報１０７ｄと１０７ｆとの間に順番待ち情報１０７ｃが挿入されるように順番待ち情報が並び替えられたことに起因する。
【０１２７】
なお、上記したスタッフ画面生成処理において説明したように、順番待ち情報１０７ｃについては待ち時間は算出されない。このため、スタッフ画面２００における順番待ち情報１０７ｃの待ち時間の欄には当該順番待ち情報１０７ｃに含まれる入店予定時刻が表示されている。
【０１２８】
また、上記したように順番待ち情報１０７ｃ（を登録した利用者）の場合は、氏名で呼び出すため、スタッフ画面２００には当該順番待ち情報１０７ｃに含まれる氏名が表示されている。
【０１２９】
なお、順番待ち情報１０７ｃはＷｅｂ順番待ち情報であるが、スタッフ画面２００において、Ｗｅｂ順番待ち情報は他の順番待ち情報（店舗順番待ち情報）と容易に区別可能な態様で表示される。これによれば、店舗のスタッフはＷｅｂ順番待ち情報の存在を容易に把握することができる。
【０１３０】
また、図９に示すスタッフ画面２００においては、各順番待ち情報に対応する待ち時間は７分間隔となっている。つまり、図９では、店舗において単位待ち時間が７分に設定されている例を示している。
【０１３１】
なお、図９においては待ち時間を表示する例を示しているが、当該待ち時間については表示されない構成としても構わない。また、上記した入店予定時刻はスタッフ画面を表示する際に順番待ち情報を並び替えるために算出された情報であり、スタッフ画面２００には表示されていない。
【０１３２】
店舗のスタッフは、店舗を利用していた他の利用者が当該店舗の利用を終えることによって、順番待ちをしている利用者が店舗に入店可能となった場合、スタッフ画面２００を参照して、当該スタッフ画面２００に表示されている順番待ち情報に含まれる受付番号または氏名を上から順に呼び出すことによって、当該受付番号が印刷された順番待ちカードを所持する利用者または当該氏名が呼ばれた利用者を店舗に入店させることができる。
【０１３３】
なお、図９に示すようにスタッフ画面２００には、各順番待ち情報に対応づけて「案内」ボタン２０１及び「不在」ボタン２０２が設けられている（表示されている）。
【０１３４】
ここで、例えば図９に示すようにスタッフ画面２００に順番待ち情報１０７ａ〜１０７ｆが表示されている場合において、店舗のスタッフが最上位に表示されている順番待ち情報１０７ａに含まれる受付番号「１」を呼び出した場合を想定する。
【０１３５】
この場合に、受付番号「１」が印刷された順番待ちカードを所持する利用者が付近に待機しており、当該利用者を店舗に案内した（入店させた）場合には、店舗のスタッフは、スタッフ画面２００において順番待ち情報１０７ａに対応づけて表示されている「案内」ボタン２０１を押下する。
【０１３６】
一方、受付番号「１」が印刷された順番待ちカードを所持する利用者が付近に待機しておらず、当該利用者を店舗に案内することができない場合には、店舗のスタッフは、スタッフ画面２００において順番待ち情報１０７ａに対応づけて表示されている「不在」ボタン２０２を押下して、順番待ち情報１０７ａの次に表示されている順番待ち情報１０７ｂに含まれる受付番号「２」を呼び出す。
【０１３７】
なお、「不在」ボタン２０２が押下された順番待ち情報１０７ａ（によって示される順番待ち）は、当該順番待ちを登録した利用者が予め定められた期間内に再度来店すれば入店させることができるが、例えば予め定められた期間を経過した場合にはキャンセルしたものとして扱われ、スタッフ画面２００から削除されるものとする。
【０１３８】
上記した図６においては省略されているが、順番待ちのステータス（例えば、「案内済み」、「不在」及び「キャンセル」等）は、順番待ち情報に含まれる（登録される）ものとする。これにより、図９に示すスタッフ画面２００においては、順番待ちのステータスが「案内済み」及び「キャンセル」以外の順番待ち情報を表示することができる。なお、順番待ちのステータスが「不在」である順番待ち情報については、上記した順番待ちのステータスが「案内済み」及び「キャンセル」以外の順番待ち情報とともにスタッフ画面２００に表示されてもよいし、当該スタッフ画面２００とは別の画面で表示されるようにしてもよい。
【０１３９】
ここで、上記したようにスタッフ画面２００において例えば順番待ち情報１０７ａに対応づけられている「案内」ボタン２０１を押下する操作が行われた場合を想定する。この場合、順番待ち情報１０７ａによって示されるステータスは「案内済み」となる。なお、このように第２店舗端末３０に対して操作が行われた場合には、図７（及び図８）の処理が実行され、スタッフ画面（の表示）が更新されるが、図７に示すステップＳ３２においては上記したようにステータスが「案内済み」である順番待ち情報は取得されない（つまり、スタッフ画面には表示されない）。
【０１４０】
この場合、例えば図１０に示すようなスタッフ画面３００が表示される。図１０に示すように、スタッフ画面３００においては、図９に示すスタッフ画面２００と比較して、ステータスが「案内済み」である順番待ち情報１０７ａは表示されておらず、Ｗｅｂ順番待ち情報１０７ｃ以外の順番待ち情報１０７ｂ、１０７ｄ、１０７ｅ及び１０７ｆについての待ち時間が待ち組数の減少により短くなっている。
【０１４１】
なお、スタッフ画面３００における順番待ち情報の並びは、スタッフ画面２００における順番待ち情報１０７ａが削除されたものと同一であるが、例えば店舗における回転率が低下しているような場合には、例えば順番待ち情報１０７ｃに含まれる入店予定時刻が順番待ち情報１０７ｄについて算出された入店予定時刻よりも早くなり、当該順番待ち情報１０７ｃが順番待ち情報１０７ｄよりも上位に表示されるような場合もあり得る。
【０１４２】
図９及び図１０においては店舗順番待ち情報及びＷｅｂ順番待ち情報が混在して表示されている例について説明したが、例えば複数の店舗順番待ち情報しか存在しないような場合には、当該複数の店舗順番待ち情報は、登録時刻順と同じ順で表示される。また、例えば複数のＷｅｂ順番待ち情報しか存在しないような場合には、当該複数のＷｅｂ順番待ち情報は、当該順番待ち情報に含まれる入店予定時刻の順に表示されればよい。
【０１４３】
以下、上記した利用者に有用情報を入力させるために第１店舗端末２０及び利用者端末４０に表示される入力画面について説明する。
【０１４４】
上記したように入力画面には、店舗にとって有用な情報を入力させるための複数の入力項目が含まれる。この複数の入力項目には、例えば店舗に入店する人数、利用者の氏名、利用者の電話番号、利用者が利用する席の種別（テーブル席またはカウンター席、禁煙席または喫煙席等）及び利用者が注文するメニュー（商品名）等が含まれる。
【０１４５】
ここで、例えば入力画面に利用者が注文するメニューを入力させる入力項目が含まれている場合を想定する。この場合、例えば店舗によっては昼の時間帯（ランチ）と夜の時間帯（ディナー）とで注文可能なメニューが異なるため、例えば利用者が来店する曜日及び時間帯に応じて入力画面に入力させる内容（つまり、入力項目）を変化させることが好ましい。
【０１４６】
このため、本実施形態においては、例えば各曜日及び各時間帯において入力画面に表示される入力項目を予め設定することができるものとする。
【０１４７】
図１１は、入力画面に含まれる入力項目を設定するための画面（以下、第１設定画面と表記）の一例を示す。
【０１４８】
図１１に示すように、第１設定画面４００には、項目名４０１、入力タイプ４０２、属性４０３、テキストタイプ４０４、テキスト入力文字数４０５及び数値範囲４０６等（の欄）が設けられている。
【０１４９】
項目名４０１には、入力項目の名称を任意に設定することができる。入力タイプ４０２には、入力項目に入力される情報の入力タイプを設定することができる。入力タイプには、「テキスト」、「数値」及び「選択肢」が含まれる。入力タイプ４０２において「テキスト」が設定された場合、入力項目には、文字列（テキスト）を入力することができる。入力タイプ４０２において「数値」が設定された場合、入力項目には、数値を入力することができる。入力タイプ４０２において「選択肢」が設定された場合、入力項目には、例えば情報管理システムの管理者または店舗のスタッフ等によって作成された複数の選択肢のうちの１つを選択して入力することができる。
【０１５０】
属性４０３には、入力項目に入力される情報の属性を設定することができる。属性は、「無し」、「人数」、「氏名（名前）」及び「電話番号」を含む。
【０１５１】
テキストタイプ４０４は、入力タイプ４０２において「テキスト」が設定された場合に、入力項目に入力されるテキストのタイプを設定することができる。このテキストタイプ４０４には、例えば「全角かな」、「半角英数」及び「半角数字」のうちの１つが設定される。
【０１５２】
テキスト入力文字数４０５は、入力タイプ４０２において「テキスト」が設定された場合に、入力項目に入力されるテキスト（文字列）を構成する文字数の範囲（最小値及び最大値）を設定することができる。
【０１５３】
数値範囲４０６は、入力タイプ４０２において「数値」が設定された場合に、入力項目に入力される数値の範囲（最小値及び最大値）を設定することができる。
【０１５４】
上記した各欄４０１〜４０６についての設定が完了した後、第１設定画面４００の下部に設けられている「設定」ボタン４０７が押下されることによって、１つの入力項目の設定（登録）が完了する。
【０１５５】
ここで、例えば店舗に入店する人数を入力するための入力項目が設定される場合には、項目名４０１には「人数」が設定され、入力タイプ４０２には「数値」が設定され、属性４０３には「人数」が設定される。また、入力タイプ４０２には「数値」が設定されているため、数値範囲４０６には、数値の範囲として例えば１（最小値）〜９９（最大値）が設定される。このように設定された入力項目においては、例えば入力画面には０〜９までの各数値が割り当てられたボタンを押下することによって人数を入力することができる。なお、入力タイプ４０２に「テキスト」を設定することによって、例えば半角数字で人数を直接入力するようにしてもよい。
【０１５６】
また、例えば利用者の氏名を入力するための入力項目を設定する場合には、項目名４０１には「氏名」が設定され、入力タイプ４０２には「テキスト」が設定され、属性４０３には「氏名」が設定される。また、入力タイプ４０２には「テキスト」が設定されているため、テキストタイプ４０４には「全角かな」が設定され、テキスト入力文字数４０５には例えば１（最小値）〜９９（最大値）が設定される。このように設定された入力項目においては、全角かなで氏名を入力することができる。なお、テキスト入力文字数４０５の最小値を０に設定することによって、例えば氏名の入力を任意とすることも可能である。
【０１５７】
また、例えば利用者の電話番号を入力するための入力項目を設定する場合には、項目名４０１には「電話番号」が設定され、入力タイプ４０２には「テキスト」が設定され、属性４０３には「電話番号」が設定される。また、入力タイプ４０２には「テキスト」が設定されているため、テキストタイプ４０４には「半角数字」が設定される。なお、例えば属性４０３に「電話番号」が設定された場合には、テキスト入力文字数４０５として例えば１０（最小値）〜１１（最大値）が自動的に設定される。このように設定された入力項目においては、半角数字で１０桁または１１桁の電話番号の入力を受け付けるようになり、それ以外の桁数はエラーとなる。
【０１５８】
また、利用者が利用する席の種別を入力するために入力項目を設定する場合には、項目名４０１には「席種別」が設定され、入力タイプ４０２には「選択肢」が設定され、属性４０３には「無し」が設定される。なお、入力タイプ４０２に「選択肢」が設定された場合には、図示されていないが「席種別」の入力項目において選択する選択肢（例えば、テーブル席及びカウンター席等）を更に設定する。このように設定された入力項目においては、利用者が利用する席の種別として、テーブル席またはカウンター席を選択（入力）することができる。
【０１５９】
ここでは、利用者が利用する席の種別を入力するための入力項目について説明したが、例えば利用者が注文するメニューを入力するための入力項目についても同様に設定することができる。なお、上記したように昼の時間帯と夜の時間帯とで注文可能なメニューが異なる場合には、当該メニューを入力するための入力項目としては、例えば昼の時間帯のメニューを入力（選択）するための入力項目及び夜の時間帯のメニューを入力（選択）するための入力項目とがそれぞれ設定される。
【０１６０】
本実施形態においては、上記した第１設定画面４００において設定される入力項目を複数組み合わせることによって、入力画面において表示される入力項目のパターン（以下、入力項目パターンと表記）が作成（設定）される。例えば店舗に入店する人数を入力させるための入力項目、利用者が利用する席の種別を入力させるための入力項目及び利用者が注文するメニューを入力するための入力項目を組み合わせた入力項目パターンが作成された場合には、当該各入力項目に対して情報（人数、席の種別、メニュー）を順次入力することができる入力画面が生成される。
【０１６１】
ここで、本実施形態においては、異なる組み合わせの入力項目から構成される複数の入力項目パターンを作成しておき、例えば曜日及び時間帯（の組み合わせ）毎に１つの入力項目パターンを設定する。
【０１６２】
図１２は、曜日及び時間帯の組み合わせ毎に入力項目パターンを設定するための画面（以下、第２設定画面と表記）の一例を示す。
【０１６３】
ここでは、複数の入力項目パターンとして、入力項目パターン「Ａ」、「Ｂ」、「Ｃ」及び「Ｄ」が作成されているものとする。また、店舗の営業時間は、日曜日から土曜日の９時から２３時までであるものとする。なお、図１２に示す第２設定画面５００において日曜日から土曜日の９時から２３時までが表示されているのは、別途設定されている店舗の営業時間・休業日の情報が反映されているためである。
【０１６４】
図１２に示すように、第２設定画面５００においては、各曜日及び各時間帯に対応づけて入力項目パターンが設定される。
【０１６５】
図１２に示す例では、月曜日から金曜日の９時から１７時までの時間帯には入力項目パターン「Ａ」が設定されている。また、月曜日から金曜日の１７時から２３時までの時間帯には入力項目パターン「Ｂ」が設定されている。これによれば、月曜日から金曜日の９時から１７時までの時間帯においては、入力画面において入力項目パターン「Ａ」を構成する複数の入力項目が表示されることが示されている。また、月曜日から金曜日の９時から１７時までの時間帯においては、入力画面において入力項目パターン「Ｂ」を構成する複数の入力項目が表示されることが示されている。
【０１６６】
また、日曜日及び土曜日の９時から１７時までの時間帯には入力項目パターン「Ｃ」が設定されている。また、日曜日及び土曜日の１７時から２３時までの時間帯には入力項目パターン「Ｄ」が設定されている。これによれば、日曜日及び土曜日の９時から１７時までの時間帯には入力項目パターン「Ｃ」を構成する複数の入力項目が表示されることが示されている。また、日曜日及び土曜日の１７時から２３時までの時間帯には入力項目パターン「Ｄ」を構成する複数の入力項目が表示されていることが示されている。
【０１６７】
上記した入力項目パターン「Ａ」に昼の時間帯のメニューを入力（選択）させるための入力項目が含まれており、入力項目パターン「Ｂ」に夜の時間帯のメニューを入力（選択）させるための入力項目が含まれているものとすると、図１２に示すように入力項目パターンを設定することにより、例えば月曜日から金曜日の１７時までの時間帯と１７時以降の時間帯とで、入力画面において利用者に入力させるメニューの内容を変えることができる。日曜日及び土曜日についても同様に、１７時までの時間帯と１７時以降の時間帯とで入力画面において利用者に入力させるメニューの内容を変えることができる。
【０１６８】
更に、平日（月曜日から金曜日）と週末（土曜日及び日曜日）とで異なる入力項目パターンが設定されていることにより、例えば平日には平日用のメニュー、週末には週末用のメニューを入力させるようにすることができる。
【０１６９】
なお、第２の設定画面５００においては、曜日及び時間帯に対応づけて設定されている入力項目パターンを他の入力項目パターンに変更（修正）することも可能である。また、図１２に示す例では１時間毎に入力項目パターンが設定されているが、当該入力項目パターンが設定される時間帯は１時間毎以外であっても構わない。
【０１７０】
上記した図１２に示す各曜日及び各時間帯に対応づけて設定された入力項目パターン（入力項目）を示す情報は、設定情報として設定情報格納部に格納（登録）される。
【０１７１】
ここで、例えば入力画面に利用者が注文するメニューの入力項目が含まれているような場合において順番待ちをするような場合を想定する。なお、店舗において注文可能なメニューは、昼の時間帯（ランチ）と夜の時間帯（ディナー）とで異なるものとする。また、順番待ちが受け付けられた時間帯が昼の時間帯であるが、当該順番待ちにおいて利用者が実際に店舗に入店する時間帯が夜の時間帯であるものとする。
【０１７２】
上記したように本実施形態においては、設定情報格納部に格納されている設定情報に基づいて上記した入力画面が生成されるが、利用者が実際に店舗に入店する時間帯に応じた入力項目を含む入力画面が生成（表示）されることが好ましい。以下、上記した第１入力画面生成処理及び第２入力画面生成処理について説明する。
【０１７３】
まず、図１３のフローチャートを参照して、第１入力画面生成処理（図４に示すステップＳ３の処理）の処理手順について説明する。
【０１７４】
図４において説明したように、第１入力画面生成処理は、図４に示すステップＳ２において順番待ちの受付要求が第１店舗端末２０から送信された場合に実行される処理である。以下の説明においては、第１店舗端末２０から順番待ちをする利用者を対象利用者と称する。
【０１７５】
情報管理装置１０に含まれる管理部１０４は、第１店舗端末２０によって送信された受付要求を受信すると、当該受付要求が受信された日付に対応する曜日（を示す情報）を取得する（ステップＳ５１）。この曜日は、例えば情報管理装置１０において管理されているカレンダー情報等から取得することが可能である。
【０１７６】
次に、管理部１０４は、現在時刻を取得する（ステップＳ５２）。この現在時刻は、例えば情報管理装置１０に内蔵されているクロック等から取得することが可能である。
【０１７７】
ここで、管理部１０４は、順番待ち情報格納部に格納（登録）されている順番待ち情報の数、つまり、対象利用者の前に順番待ちをしている利用者の組の数に対象利用者（の組）を加えた待ち組数をカウントする（ステップＳ５３）。なお、ステップＳ５３において待ち組数としてカウントされる順番待ち情報は、上記したステータスが「未案内」である順番待ち情報である。
【０１７８】
管理部１０４は、上記した単位待ち時間にステップＳ５３において取得された待ち組数を乗算することによって、対象利用者が店舗に入店することができるまでの時間（待ち時間）を算出する（ステップＳ５４）。
【０１７９】
管理部１０４は、ステップＳ５２において取得された現在時刻にステップＳ５４において算出された待ち時間を加算することによって入店予定時刻を算出する（ステップＳ５５）。なお、ステップＳ５５において算出される入店予定時刻は、現在の順番待ちの状況において順番待ちをした（つまり、現時点で順番待ちを開始した）場合に想定される入店予定時刻に相当する。
【０１８０】
次に、管理部１０４は、設定情報格納部に格納されている設定情報を参照して、ステップＳ５１において取得された曜日及びステップＳ５５において算出された入店予定時刻（を含む時間帯）に対応づけて設定されている入力項目パターン（を構成する入力項目）を特定する（ステップＳ５６）。
【０１８１】
図１２に示す例では、ステップＳ５１において取得された曜日が月曜日であり、ステップＳ５５において算出された入店予定時刻が１２時３０分である場合には、管理部１０４は、月曜日及び１２時（から１３時までの）の時間帯に対応づけて設定されている入力項目パターン「Ａ」を特定する。
【０１８２】
また、ステップＳ５１において取得された曜日が土曜日であり、ステップＳ５５において算出された入店予定時刻が２０時５０分である場合には、管理部１０４は、土曜日及び２０時（から２１時まで）の時間帯に対応づけて設定されている入力項目パターン「Ｄ」を特定する。
【０１８３】
ステップＳ５６の処理が実行されると、管理部１０４は、当該ステップＳ５６において特定された入力項目パターンを構成する入力項目を含む入力画面を生成する（ステップＳ５７）。
【０１８４】
ステップＳ５７において生成された入力画面（データ）は、上記した図４に示すステップＳ４において第１店舗端末２０に送信され、当該第１店舗端末２０に表示される。
【０１８５】
上記した第１入力画面生成処理が実行されることによって、対象利用者が店舗に入店すると想定される日時（曜日及び時間帯）に応じた入力項目を含む入力画面を生成して第１店舗端末２０に表示することが可能となる。
【０１８６】
次に、図１４のフローチャートを参照して、第２入力画面生成処理（図５に示すステップＳ１６の処理）の処理手順について説明する。
【０１８７】
図５において説明したように、第２入力画面生成処理は、図５に示すステップＳ１５において利用者端末４０から入店予定時刻（対象利用者によって指定された入店予定時刻）が送信された場合に実行される処理である。以下の説明においては、入店予定時刻を送信した利用者端末４０を所持する利用者（つまり、利用者端末４０から順番待ちをしようとする利用者）を対象利用者と称する。
【０１８８】
ここで、情報管理装置１０に含まれる管理部１０４は利用者端末４０から入店予定時刻を受信するが、当該入店予定時刻は、対象利用者が入店することを希望する日付、時間及び分（の情報）を含む。
【０１８９】
この場合、管理部１０４は、受信された入店予定時刻に含まれる日付に対応する曜日（を示す情報）を取得する（ステップＳ６１）。この曜日は、例えば情報管理装置１０において管理されているカレンダー情報等から取得することが可能である。
【０１９０】
次に、管理部１０４は、設定情報格納部に格納されている設定情報を参照して、ステップＳ５１において取得された曜日、及び受信された入店予定時刻に含まれる時間及び分を含む時間帯に対応づけて設定されている入力項目パターン（を構成する入力項目）を特定する（ステップＳ６２）。
【０１９１】
ステップＳ６２の処理が実行されると、管理部１０４は、ステップＳ６２において特定された入力項目パターンを構成する入力項目を含む入力画面を生成する（ステップＳ６３）。
【０１９２】
ステップＳ６３において生成された入力画面（データ）は、上記した図５に示すステップＳ１７において利用者端末４０に送信され、当該利用者端末４０に表示される。
【０１９３】
上記した第２入力画面生成処理が実行されることによって、対象利用者によって指定された入店予定時刻（曜日及び時間帯）に応じた入力項目を含む入力画面を生成して利用者端末４０に表示することが可能となる。
【０１９４】
上記したように本実施形態においては、各曜日及び各時間帯に対応づけて設定された入力項目を示す設定情報を設定情報格納部（第１格納部）に格納（登録）しておき、利用者からの順番待ちを受け付ける際に、当該順番待ちにおいて利用者が店舗に入店する時間帯に対応づけて設定されている入力項目を含む入力画面を生成して表示する構成により、順番待ちを受け付ける際に、状況に応じた適切な入力項目に情報を入力させることが可能となる。
【０１９５】
具体的には、第１店舗端末２０からの順番待ちを受け付ける場合には、順番待ち情報格納部（第２格納部）に登録されている順番待ち情報の数に基づいて利用者の入店予定時刻を算出し、当該算出された入店予定時刻に応じた入力項目を含む入力画面が生成される。
【０１９６】
また、利用者端末４０からの順番待ちを受け付ける場合には、利用者によって指定された入店予定時刻に応じた入力項目を含む入力画面が生成される。
【０１９７】
本実施形態においては、このような構成により、例えば順番待ちを受け付けた時刻（時間帯）ではなく、実際に利用者が店舗に入店すると想定される時刻（時間帯）に応じた入力項目に対して情報を入力させることが可能となる。
【０１９８】
なお、本実施形態においては、上記したように曜日及び時間帯の組み合わせ毎に入力項目（パターン）が設定されることにより、例えば曜日及び時間帯に応じて利用者に対して入力させる内容（例えば、利用者が注文するメニュー）が異なるような場合であっても、適切な入力項目を含む入力画面を表示することが可能である。
【０１９９】
しかしながら、例えば利用者に対して入力させるメニューが時間帯によって異なるが、曜日間では同じである場合には、単に利用者が店舗に入店する時間帯（入店予定時刻を含む時間帯）に対応づけて設定されている入力項目を含む入力画面を生成する構成としてもよい。この場合、設定情報格納部には、各時間帯に対応づけて設定された入力項目（パターン）を示す設定情報が格納されていればよい。
【０２００】
また、本実施形態においては各曜日及び各時間帯に対応づけて設定された入力項目を示す設定情報が格納されているものとして説明したが、図１５に示すように、当該設定情報は、曜日、時間帯及び端末装置（利用者から店舗への順番待ちを受け付ける際に当該利用者によって操作される端末装置）の種類毎に対応づけて設定された入力項目を示すものであっても構わない。なお、端末装置の種類には、第１店舗端末２０及び利用者端末４０が含まれる。このような構成によれば、例えば第１店舗端末２０からの順番待ちであるか利用者端末４０からの順番待ちであるか（つまり、端末装置の種類）に応じて、異なる入力項目（を含む入力画面）を表示することが可能となる。
【０２０１】
以下、端末装置の種類に応じて異なる入力項目（を含む入力画面）を表示する場合について具体的に説明する。
【０２０２】
ここで、例えば情報管理システムにおいては、例えば上記した入店予定時刻が近くなった場合、利用者端末４０を介して利用者を呼び出すサービス（以下、呼び出しサービスと表記）を提供することができるものとする。このサービスにおいて、利用者は、例えばメールまたは電話で呼び出されるものとする。
【０２０３】
この場合、例えば第１店舗端末２０からの順番待ちを受け付ける際に当該第１店舗端末２０に表示される入力画面（以下、第１店舗端末２０の入力画面と表記）に含まれる入力項目に加えて、上記した呼び出しサービスを利用するか否か等を入力（選択）させる入力項目が、利用者端末４０からの順番待ちを受け付ける際に当該利用者端末４０に表示される入力画面（以下、利用者端末４０の入力画面と表記）に更に含まれるようにすることができる。
【０２０４】
一方、店舗が酒類を提供する飲食店（例えば、居酒屋等）である場合には、利用者端末４０の入力画面に含まれる入力項目に加えて、第１店舗端末２０の入力画面には、車で来店していないことを確認するような入力項目が更に含まれるようにすることができる。
【０２０５】
ここでは、端末装置の種類（第１店舗端末２０及び利用者端末４０）に応じて異なる入力項目が表示される場合について説明したが、例えば利用者端末４０の種別（スマートフォン、タブレット端末、フィーチャーフォン及びＰＣ等）によっても異なる入力項目が表示されるようにしてもよい。
【０２０６】
具体的には、例えば利用者端末４０（の種類）がＰＣである場合には、利用者端末４０の入力画面に駐車場を利用するか否かを確認するような入力項目が表示されるようにしてもよい。また、例えば利用者端末４０（の種類）がスマートフォンまたはタブレット端末である場合には、利用者端末４０の入力画面に利用者の現在地や来店までの時間等を入力させるような入力項目が表示されるようにしてもよい。
【０２０７】
なお、本実施形態においては、利用者が店舗に入店する時間帯に対応づけて設定情報に設定されている入力項目を含む入力画面を生成して表示するものとして説明したが、例えば昼の時間帯の営業時間と夜の時間帯の営業時間とが休憩時間を挟んで分離されており、第１店舗端末２０からの順番待ちのみを受け付ける（つまり、利用者端末４０からの順番待ちは受け付けない）ような店舗であれば、単に順番待ちを受け付ける時間帯に対応づけて設定情報に設定されている入力項目を含む入力画面を生成して表示する構成としても構わない。このような構成によれば、入力画面を生成する際に入店予定時刻を算出する必要がないため、情報管理装置１０における処理量を低減することが可能となる。
【０２０８】
本実施形態においては情報管理装置１０が１つの装置であるものとして説明したが、当該情報管理装置１０は、ネットワークを介して通信可能な複数の装置によって実現されても構わない。
【０２０９】
また、図３において説明した情報管理装置１０の機能構成の少なくとも一部は、例えば第１店舗端末２０または第２店舗端末３０に備えられていてもよい。
【０２１０】
なお、上記した実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）光磁気ディスク（ＭＯ）、半導体メモリなどの記憶媒体に格納して頒布することもできる。
【０２１１】
また、この記憶媒体としては、プログラムを記憶でき、かつコンピュータが読み取り可能な記憶媒体であれば、その記憶形式は何れの形態であってもよい。
【０２１２】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【０２１３】
更に、本発明における記憶媒体は、コンピュータと独立した媒体に限らず、ＬＡＮやインターネット等により伝送されたプログラムをダウンロードして記憶または一時記憶した記憶媒体も含まれる。
【０２１４】
また、記憶媒体は１つに限らず、複数の媒体から本実施形態における処理が実行される場合も本発明における記憶媒体に含まれ、媒体構成は何れの構成であってもよい。
【０２１５】
なお、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であってもよい。
【０２１６】
また、本発明におけるコンピュータとは、パソコンに限らず、情報処理機器に含まれる演算処理装置、マイコン等も含み、プログラムによって本発明の機能を実現することが可能な機器、装置を総称している。
【０２１７】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。  
【符号の説明】
【０２１８】
１０…情報管理装置、１１…バス、１２…不揮発性メモリ、１３…ＣＰＵ、１４…メインメモリ、１５…通信部、２０…第１店舗端末、３０…第２店舗端末、４０…利用者端末、１０１…受付部、１０２…第１登録部、１０３…第３登録部、１０４…管理部（生成手段）、１０５…表示処理部、１０６…設定部、１０７…格納部。
【図１】
2019067103.tif 000003
【図２】
2019067103.tif 000004
【図３】
2019067103.tif 000005
【図４】
2019067103.tif 000006
【図５】
2019067103.tif 000007
【図６】
2019067103.tif 000008
【図７】
2019067103.tif 000009
【図８】
2019067103.tif 000010
【図９】
2019067103.tif 000011
【図１０】
2019067103.tif 000012
【図１１】
2019067103.tif 000013
【図１２】
2019067103.tif 000014
【図１３】
2019067103.tif 000015
【図１４】
2019067103.tif 000016
【図１５】
2019067103.tif 000017
【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
利用者から店舗への順番待ちを受け付ける際に当該利用者によって操作される端末装置と接続される情報管理装置において、
各時間帯に対応づけて設定された前記店舗にとって有用な情報を入力させる入力項目を示す設定情報を格納する設定情報格納手段と、
前記利用者からの順番待ちを受け付ける際に、前記設定情報に基づいて、当該順番待ちにおいて前記利用者が前記店舗に入店する時間帯に対応づけて設定されている入力項目を含む入力画面を生成する生成手段と、
前記生成された入力画面を前記端末装置に表示する表示処理手段と
を具備し、
前記入力画面に含まれる入力項目の内容は、前記端末装置の種類に応じて異なる
情報管理装置。
【請求項２】
前記設定情報は、各曜日及び各時間帯に対応づけて設定された前記店舗にとって有用な情報を入力させる入力項目を示し、
前記生成手段は、前記利用者からの順番待ちを受け付ける際に、当該順番待ちにおいて前記利用者が前記店舗に入店する日付に対応する曜日及び時間帯に対応づけて設定されている入力項目を含む入力画面を生成する
請求項１記載の情報管理装置。
【請求項３】
前記端末装置は、前記店舗に設けられる店舗端末及び前記利用者が所持する利用者端末を含み、
前記設定情報は、各曜日、各時間帯、及び前記店舗端末及び前記利用者端末を含む前記端末装置の種類に対応づけて設定された前記店舗にとって有用な情報を入力させる入力項目を示し、
前記生成手段は、
前記利用者からの順番待ちを前記店舗端末から受け付ける場合、当該順番待ちにおいて前記利用者が前記店舗に入店する日付に対応する曜日、時間帯及び前記端末装置の種類である店舗端末に対応づけて設定されている入力項目を含む入力画面を生成し、
前記利用者からの順番待ちを前記利用者端末から受け付ける場合、当該順番待ちにおいて前記利用者が前記店舗に入店する日付に対応する曜日、時間帯及び前記端末装置の種類である利用者端末に対応づけて設定されている入力項目を含む入力画面を生成する
請求項２記載の情報管理装置。
【請求項４】
他の利用者による順番待ちを示す複数の順番待ち情報を登録可能である順番待ち情報格納手段と、
前記順番待ち情報格納手段に登録されている順番待ち情報の数に基づいて、前記利用者からの順番待ちが受け付けられた場合における当該利用者の入店予定時刻を算出する算出手段と
を更に具備し、
前記利用者が前記店舗に入店する時間帯は、前記算出された入店予定時刻を含む時間帯である
請求項１記載の情報管理装置。
【請求項５】
前記利用者が前記店舗に入店する時間帯は、前記端末装置を操作することによって当該利用者によって指定された入店予定時刻を含む時間帯である請求項１記載の情報管理装置。
【請求項６】
利用者から店舗への順番待ちを受け付ける際に当該利用者によって操作される端末装置と接続される情報管理装置が実行する情報管理方法であって、
各時間帯に対応づけて設定された前記店舗にとって有用な情報を入力させる入力項目を示す設定情報を設定情報格納手段に格納するステップと、
前記利用者からの順番待ちを受け付ける際に、前記設定情報に基づいて、当該順番待ちにおいて前記利用者が店舗に入店する時間帯に対応づけて設定されている入力項目を含む入力画面を生成するステップと、
前記生成された入力画面を前記端末装置に表示するステップと
を具備し、
前記入力画面に含まれる入力項目の内容は、前記端末装置の種別に応じて異なる
情報管理方法。
【請求項７】
利用者から店舗への順番待ちを受け付ける際に当該利用者によって操作される端末装置と接続される情報管理装置のコンピュータによって実行されるプログラムであって、
前記コンピュータに、
各時間帯に対応づけて設定された前記店舗にとって有用な情報を入力させる入力項目を示す設定情報を設定情報格納手段に格納するステップと、
前記利用者からの順番待ちを受け付ける際に、前記設定情報に基づいて、当該順番待ちにおいて前記利用者が前記店舗に入店する時間帯に対応づけて設定されている入力項目を含む入力画面を生成するステップと、
前記生成された入力画面を前記端末装置に表示するステップと
を実行させ、
前記入力画面に含まれる入力項目の内容は、前記端末装置の種別に応じて異なる
プログラム。
【手続補正２】
【補正対象書類名】明細書
【補正対象項目名】０００８
【補正方法】変更
【補正の内容】
【０００８】
本発明の１つの態様によれば、利用者から店舗への順番待ちを受け付ける際に当該利用者によって操作される端末装置と接続される情報管理装置が提供される。前記情報管理装置は、設定情報格納手段と、生成手段と、表示処理手段とを具備する。前記設定情報格納手段は、各時間帯に対応づけて設定された前記店舗にとって有用な情報を入力させる入力項目を示す設定情報を格納する。前記生成手段は、前記利用者からの順番待ちを受け付ける際に、前記設定情報に基づいて、当該順番待ちにおいて前記利用者が前記店舗に入店する時間帯に対応づけて設定されている入力項目を含む入力画面を生成する。前記表示処理手段は、前記生成された入力画面を前記端末装置に表示する。前記入力画面に含まれる入力項目の内容は、前記端末装置の種別に応じて異なる。
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
利用者から店舗への順番待ちを受け付ける際に当該利用者によって操作される端末装置と接続される情報管理装置において、
各時間帯に対応づけて設定された前記店舗にとって有用な情報を入力させる入力項目を示す設定情報を格納する設定情報格納手段と、
前記利用者からの順番待ちを受け付ける際に、前記設定情報に基づいて、当該順番待ちにおいて前記利用者が前記店舗に入店する時間帯に対応づけて設定されている入力項目を含む入力画面を生成する生成手段と、
前記生成された入力画面を前記端末装置に表示する表示処理手段と、
他の利用者による順番待ちを示す複数の順番待ち情報を登録可能である順番待ち情報格納手段と、
前記順番待ち情報格納手段に登録されている順番待ち情報の数に基づいて、前記利用者からの順番待ちが受け付けられた場合における当該利用者の入店予定時刻を算出する算出手段と
を具備し、
前記利用者が前記店舗に入店する時間帯は、前記端末装置を操作することによって当該利用者によって入店予定時刻が指定されていない場合には前記算出された入店予定時刻を含む時間帯であり、前記端末装置を操作することによって当該利用者によって入店予定時刻が指定されている場合には当該入店予定時刻を含む時間帯であり、
前記入力画面に含まれる入力項目の内容は、前記端末装置の種類に応じて異なる
情報管理装置。
【請求項２】
前記設定情報は、各曜日及び各時間帯に対応づけて設定された前記店舗にとって有用な情報を入力させる入力項目を示し、
前記生成手段は、前記利用者からの順番待ちを受け付ける際に、当該順番待ちにおいて前記利用者が前記店舗に入店する日付に対応する曜日及び時間帯に対応づけて設定されている入力項目を含む入力画面を生成する
請求項１記載の情報管理装置。
【請求項３】
前記端末装置は、前記店舗に設けられる店舗端末及び前記利用者が所持する利用者端末を含み、
前記設定情報は、各曜日、各時間帯、及び前記店舗端末及び前記利用者端末を含む前記端末装置の種類に対応づけて設定された前記店舗にとって有用な情報を入力させる入力項目を示し、
前記生成手段は、
前記利用者からの順番待ちを前記店舗端末から受け付ける場合、当該順番待ちにおいて前記利用者が前記店舗に入店する日付に対応する曜日、時間帯及び前記端末装置の種類である店舗端末に対応づけて設定されている入力項目を含む入力画面を生成し、
前記利用者からの順番待ちを前記利用者端末から受け付ける場合、当該順番待ちにおいて前記利用者が前記店舗に入店する日付に対応する曜日、時間帯及び前記端末装置の種類である利用者端末に対応づけて設定されている入力項目を含む入力画面を生成する
請求項２記載の情報管理装置。
【請求項４】
利用者から店舗への順番待ちを受け付ける際に当該利用者によって操作される端末装置と接続され、他の利用者による順番待ちを示す複数の順番待ち情報を登録可能である順番待ち情報格納手段を備える情報管理装置が実行する情報管理方法であって、
各時間帯に対応づけて設定された前記店舗にとって有用な情報を入力させる入力項目を示す設定情報を設定情報格納手段に格納するステップと、
前記利用者からの順番待ちを受け付ける際に、前記設定情報に基づいて、当該順番待ちにおいて前記利用者が店舗に入店する時間帯に対応づけて設定されている入力項目を含む入力画面を生成するステップと、
前記生成された入力画面を前記端末装置に表示するステップと
を具備し、
前記利用者が前記店舗に入店する時間帯は、前記端末装置を操作することによって当該利用者によって入店予定時刻が指定されていない場合には前記順番待ち情報格納手段に登録されている順番待ち情報の数に基づいて算出される前記利用者からの順番待ちが受け付けられた場合における当該利用者の入店予定時刻を含む時間帯であり、前記端末装置を操作することによって当該利用者によって入店予定時刻が指定されている場合には当該入店予定時刻を含む時間帯であり、
前記入力画面に含まれる入力項目の内容は、前記端末装置の種別に応じて異なる
情報管理方法。
【請求項５】
利用者から店舗への順番待ちを受け付ける際に当該利用者によって操作される端末装置と接続され、他の利用者による順番待ちを示す複数の順番待ち情報を登録可能である順番待ち情報格納手段を備える情報管理装置のコンピュータによって実行されるプログラムであって、
前記コンピュータに、
各時間帯に対応づけて設定された前記店舗にとって有用な情報を入力させる入力項目を示す設定情報を設定情報格納手段に格納するステップと、
前記利用者からの順番待ちを受け付ける際に、前記設定情報に基づいて、当該順番待ちにおいて前記利用者が前記店舗に入店する時間帯に対応づけて設定されている入力項目を含む入力画面を生成するステップと、
前記生成された入力画面を前記端末装置に表示するステップと
を実行させ、
前記利用者が前記店舗に入店する時間帯は、前記端末装置を操作することによって当該利用者によって入店予定時刻が指定されていない場合には前記順番待ち情報格納手段に登録されている順番待ち情報の数に基づいて算出される前記利用者からの順番待ちが受け付けられた場合における当該利用者の入店予定時刻を含む時間帯であり、前記端末装置を操作することによって当該利用者によって入店予定時刻が指定されている場合には当該入店予定時刻を含む時間帯であり、
前記入力画面に含まれる入力項目の内容は、前記端末装置の種別に応じて異なる
プログラム。
【手続補正２】
【補正対象書類名】明細書
【補正対象項目名】０００８
【補正方法】変更
【補正の内容】
【０００８】
本発明の１つの態様によれば、利用者から店舗への順番待ちを受け付ける際に当該利用者によって操作される端末装置と接続される情報管理装置が提供される。前記情報管理装置は、設定情報格納手段と、生成手段と、表示処理手段と、順番待ち情報格納手段と、算出手段とを具備する。前記設定情報格納手段は、各時間帯に対応づけて設定された前記店舗にとって有用な情報を入力させる入力項目を示す設定情報を格納する。前記生成手段は、前記利用者からの順番待ちを受け付ける際に、前記設定情報に基づいて、当該順番待ちにおいて前記利用者が前記店舗に入店する時間帯に対応づけて設定されている入力項目を含む入力画面を生成する。前記表示処理手段は、前記生成された入力画面を前記端末装置に表示する。前記順番待ち情報格納手段は、他の利用者による順番待ちを示す複数の順番待ち情報を登録可能である。前記算出手段は、前記順番待ち情報格納手段に登録されている順番待ち情報の数に基づいて、前記利用者からの順番待ちが受け付けられた場合における当該利用者の入店予定時刻を算出する。前記利用者が前記店舗に入店する時間帯は、前記端末装置を操作することによって当該利用者によって入店予定時刻が指定されていない場合には前記算出された入店予定時刻を含む時間帯であり、前記端末装置を操作することによって当該利用者によって入店予定時刻が指定されている場合には当該入店予定時刻を含む時間帯である。前記入力画面に含まれる入力項目の内容は、前記端末装置の種別に応じて異なる。